【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
基地局において８個以下のアンテナポートに対するチャネル状態情報参照信号（ＣＳＩ−ＲＳ）を伝送する方法であって、前記方法は、
前記８個以下のアンテナポートに対するＣＳＩ−ＲＳを伝送することを含み、前記ＣＳＩ−ＲＳが、拡張されたサイクリックプレフィックス（ＣＰ）構成を有するダウンリンクサブフレームのデータ領域上に、所定のパターンに従ってマッピングされ、前記拡張されたＣＰ構成を有するダウンリンクサブフレームは、１２個の直交周波数分割多重化（ＯＦＤＭ）シンボルを有し、ＯＦＤＭシンボルインデックスが、０から開始し、
前記所定のパターンは、一つのリソースブロック対において、前記８個以下のアンテナポートに対するＣＳＩ−ＲＳが、前記ダウンリンクサブフレームの前記データ領域上の連続する２個のＯＦＤＭシンボル上にマッピングされ、前記連続する２個のＯＦＤＭシンボルのそれぞれにおいて４個の副搬送波位置のうちの一つ以上にマッピングされるように定義され、
前記連続する２個のＯＦＤＭシンボルは、ユーザー機器−特定（ＵＥ−特定）参照信号がマッピングされることが許可されるＯＦＤＭシンボルである、方法。
【請求項２】
前記所定のパターンで定義される前記連続する２個のＯＦＤＭシンボルは、ＯＦＤＭシンボルインデックス４及び５、またはＯＦＤＭシンボルインデックス１０及び１１である、請求項１に記載の方法。
【請求項３】
前記所定のパターンで定義される前記４個の副搬送波位置は、セルまたはセルグループ別に１個または２個の副搬送波だけシフトされる、請求項１に記載の方法。
【請求項４】
前記ＣＳＩ−ＲＳは、直交コードを用いてコード分割多重化（ＣＤＭ）され、２個のアンテナポートに対するＣＳＩ−ＲＳは、同一のＯＦＤＭシンボル及び同一の副搬送波上にマッピングされ、前記２個のアンテナポートに対するＣＳＩ−ＲＳは、連続する２個のＯＦＤＭシンボルにわたってＣＤＭによって多重化される、請求項１に記載の方法。
【請求項５】
前記２個のＯＦＤＭシンボルがＯＦＤＭシンボルインデックス４及び５の場合に、前記４個の副搬送波位置は、副搬送波インデックス０、３、６及び９、または副搬送波インデックス２、５、８及び１１であり、
前記２個のＯＦＤＭシンボルがＯＦＤＭシンボルインデックス１０及び１１の場合に、前記４個の副搬送波位置は、副搬送波インデックス１、４、７及び１０、または副搬送波インデックス２、５、８及び１１である、請求項２に記載の方法。
【請求項６】
前記８個以下のアンテナポートに対するＣＳＩ−ＲＳは、２個のアンテナポートに対するＣＳＩ−ＲＳが一つのグループを構成するように総４個のグループに分けられ、
前記４個のグループのそれぞれの２個のアンテナに対するＣＳＩ−ＲＳは、前記連続する２個のＯＦＤＭシンボル上の同一の副搬送波位置においてコード分割多重化（ＣＤＭ）方式を用いて多重化され、
前記４個のグループは、異なる副搬送波位置において周波数分割多重化（ＦＤＭ）方式を用いて多重化される、請求項１に記載の方法。
【請求項７】
前記８個のアンテナポートに対するＣＳＩ−ＲＳは、前記一つのリソースブロック対内の８個のリソース要素上にマッピングされる、請求項１に記載の方法。
【請求項８】
前記一つのリソースブロック対は、１２個のＯＦＤＭシンボル及び１２個の副搬送波として定義される、請求項１に記載の方法。
【請求項９】
前記所定のパターンで定義される前記４個の副搬送波位置は、「ｎ」番目の副搬送波インデックス、「ｎ＋ｋ」番目の副搬送波インデックス、「ｎ＋２ｋ」番目の副搬送波インデックス、及び「ｎ＋３ｋ」番目の副搬送波インデックスを含む、請求項１に記載の方法。
【請求項１０】
ｋ＝３である、請求項９に記載の方法。
【請求項１１】
ユーザー機器において基地局からの８以下のアンテナポートに対するチャネル状態情報参照信号（ＣＳＩ−ＲＳ）を用いてチャネルを推定する方法であって、前記方法は、
前記８個以下のアンテナポートに対するＣＳＩ−ＲＳが所定のパターンに従ってデータ領域上にマッピングされる、拡張されたサイクリックプレフィックス（ＣＰ）構成を有するダウンリンクサブフレームにおいて前記８個以下のアンテナポートに対するＣＳＩ−ＲＳを受信することであって、前記拡張されたＣＰ構成を有するダウンリンクサブフレームは、１２個の直交周波数分割多重化（ＯＦＤＭ）シンボルを有し、ＯＦＤＭシンボルインデックスが、０から開始する、ことと、
前記ＣＳＩ−ＲＳを用いて前記チャネルを推定することと
を含み、
前記所定のパターンは、一つのリソースブロック対において、前記８個以下のアンテナポートに対するＣＳＩ−ＲＳが、前記ダウンリンクサブフレームの前記データ領域上の連続する２個のＯＦＤＭシンボル上にマッピングされ、前記連続する２個のＯＦＤＭシンボルのそれぞれにおいて４個の副搬送波位置のうちの一つ以上にマッピングされるように定義され、
前記連続する２個のＯＦＤＭシンボルは、ユーザー機器−特定（ＵＥ−特定）参照信号がマッピングされることが許可されるＯＦＤＭシンボルである、方法。
【請求項１２】
８個以下のアンテナポートに対するチャネル状態情報参照信号（ＣＳＩ−ＲＳ）を伝送する基地局であって、前記基地局は、
ユーザー機器からアップリンク信号を受信するように構成された受信モジュールと、
前記ユーザー機器にダウンリンク信号を伝送するように構成された伝送モジュールと、
前記受信モジュール及び前記伝送モジュールを含む前記基地局を制御するように構成されたプロセッサと
を含み、
前記プロセッサは、前記伝送モジュールを介して、前記８個以下のアンテナポートに対するＣＳＩ−ＲＳを伝送するようにさらに構成され、前記ＣＳＩ−ＲＳが、拡張されたサイクリックプレフィックス（ＣＰ）構成を有するダウンリンクサブフレームのデータ領域上に、所定のパターンに従ってマッピングされ、前記拡張されたＣＰ構成を有するダウンリンクサブフレームは、１２個の直交周波数分割多重化（ＯＦＤＭ）シンボルを有し、ＯＦＤＭシンボルインデックスが、０から開始し、
前記所定のパターンは、一つのリソースブロック対において、前記８個以下のアンテナポートに対するＣＳＩ−ＲＳが、前記ダウンリンクサブフレームの前記データ領域上の連続する２個のＯＦＤＭシンボル上にマッピングされ、前記連続する２個のＯＦＤＭシンボルのそれぞれにおいて４個の副搬送波位置のうちの一つ以上にマッピングされるように定義され、
前記連続する２個のＯＦＤＭシンボルは、ユーザー機器−特定（ＵＥ−特定）参照信号がマッピングされることが許可されるＯＦＤＭシンボルである、基地局。
【請求項１３】
基地局からの８個以下のアンテナポートに対するチャネル状態情報参照信号（ＣＳＩ−ＲＳ）を用いてチャネルを推定するユーザー機器であって、前記ユーザー機器は、
前記基地局からダウンリンク信号を受信するように構成された受信モジュールと、
前記基地局にアップリンク信号を伝送するように構成された伝送モジュールと、
前記受信モジュール及び前記伝送モジュールを含む前記ユーザー機器を制御するように構成されたプロセッサと
を含み、
前記プロセッサは、前記８個以下のアンテナポートに対するＣＳＩ−ＲＳが所定のパターンに従ってデータ領域上にマッピングされる、拡張されたサイクリックプレフィックス（ＣＰ）構成を有するダウンリンクサブフレームにおいて前記８個以下のアンテナポートに対するＣＳＩ−ＲＳを受信することと、前記ＣＳＩ−ＲＳを用いて前記チャネルを推定することとを行うようにさらに構成されており、
前記拡張されたＣＰ構成を有するダウンリンクサブフレームは、１２個の直交周波数分割多重化（ＯＦＤＭ）シンボルを有し、ＯＦＤＭシンボルインデックスが、０から開始し、
前記所定のパターンは、一つのリソースブロック対において、前記８個以下のアンテナポートに対するＣＳＩ−ＲＳが、前記ダウンリンクサブフレームの前記データ領域上の連続する２個のＯＦＤＭシンボル上にマッピングされ、前記連続する２個のＯＦＤＭシンボルのそれぞれにおいて４個の副搬送波位置のうちの一つ以上にマッピングされるように定義され、
前記連続する２個のＯＦＤＭシンボルは、ユーザー機器−特定（ＵＥ−特定）参照信号がマッピングされることが許可されるＯＦＤＭシンボルである、ユーザー機器。